(57)【要約】      （修正有）【課題】操作性向上のため、トラブルが発生した際に制御装置の表示画面にトラブルの内容を説明する表示がなされるようにしてあり、これを読むことにより操作者がトラブル内容を容易に知ることができ、その後の復旧操作に役立つ生体試料分析装置を提供する。【解決手段】生体試料分析装置のシステム制御部に処理を実行させるため、測定部のセンサがトラブルを検出した時に測定部から送られるエラー情報を監視・処理し、装置状態情報処理部が監視・処理するエラー情報を列挙表示するためのエラーウィンドウを表示画面に表示し、エラーウィンドウに表示されたエラー情報の選択操作を含む入力を行い、エラー情報に関するエラー解除のためのガイド情報を記憶し、入力部により少なくとも１つのエラー情報が選択された際に、選択されたエラー情報に関するエラー解除のためのガイド情報を表示画面に表示する処理を前記システム制御部に実行させる。【選択図】図１
2006071649.tif 000002
【特許請求の範囲】
【請求項１】
複数のコンポーネントからなり生体試料の測定を行うとともに、少なくとも一部のコンポーネントにはトラブルを検出するためのセンサが取り付けられた測定部と、
測定部との間で情報を送受することにより測定部の制御を行うシステム制御部とからなる生体試料分析装置であって、
システム制御部は、
各種情報を表示するための表示画面と、
測定部のセンサがトラブルを検出した時に測定部から送られるエラー情報を監視・処理する装置状態情報処理部と、
装置状態情報処理部が監視・処理するエラー情報を列挙表示するためのエラーウィンドウを表示画面に表示するエラーウィンドウ表示部と、
エラーウィンドウに表示されたエラー情報の選択操作を含む入力を行う入力部と、
エラー情報に関するエラー解除のためのガイド情報を記憶するガイド情報記憶部と、
入力部により少なくとも１つのエラー情報が選択された際に、選択されたエラー情報に関するエラー解除のためのガイド情報を表示画面に表示するガイド表示部とを備えたことを特徴とする生体試料分析装置。
【請求項２】
複数のコンポーネントからなり生体試料の測定を行うとともに、少なくとも一部のコンポーネントにはトラブルを検出するためのセンサが取り付けられた測定部と、
必要な入力を行うための入力部と、各種情報を表示するための表示画面とを備え、かつ、測定部との間で情報を送受することにより測定部の制御を行うシステム制御部とからなる生体試料分析装置のシステム制御部に処理を実行させるためのプログラムであって、測定部のセンサがトラブルを検出した時に測定部から送られるエラー情報を監視・処理し、装置状態情報処理部が監視・処理するエラー情報を列挙表示するためのエラーウィンドウを表示画面に表示し、エラーウィンドウに表示されたエラー情報の選択操作を含む入力を行い、エラー情報に関するエラー解除のためのガイド情報を記憶し、入力部により少なくとも１つのエラー情報が選択された際に、選択されたエラー情報に関するエラー解除のためのガイド情報を表示画面に表示する処理を前記システム制御部に実行させることを特徴とする生体試料分析装置のためのプログラム。
【発明の詳細な説明】
【技術分野】
【０００１】
本発明は、血液等の生体試料を分析するための生体試料分析装置に関する。
【背景技術】
【０００２】
従来から血液分析装置や尿検査装置等、生体から採取される生体試料の分析を行う生体試料分析装置が使用されている。
生体試料分析装置では、それぞれの装置の測定項目や処理方法等に応じて多くの機能を備えている。そして、さらに優れた分析装置とするために、単に測定性能を向上させるのみならず、操作性を向上させる試みがなされている。
【０００３】
このような生体分析装置のひとつとして、たとえばシスメックス社製の血球計測装置XE-2100が知られている。一般に、実際に測定を行う測定部を有する装置本体には操作パネル（小型表示パネル）が搭載されているが、この操作パネルとは別に制御専用の大型表示装置およびキーボードを有する制御装置（汎用パーソナルコンピュータ）が接続され、入力内容に応じて本体の操作パネルからの入力とキーボードからの入力とが行えるようにしてある装置も普及している。
【発明の開示】
【発明が解決しようとする課題】
【０００４】
しかしながら、上述したような本体側操作パネルと制御装置とが併設された装置では、本体の操作パネルと制御装置のキーボードとを入力する内容によって使い分けて操作する必要がある。それゆえ、更なる操作性の向上が望まれていた。
【０００５】
また、日常の使用形態では実施されない動作、例えば、駆動機構やセンサの定期点検を行う診断モードのように、稀にしか行われない操作では、キーボードからコマンドを入力する必要があり、コマンド入力に慣れていないユーザにとっては必ずしも操作が容易ではなかった。
【０００６】
また、血球計測装置XE-2100では、操作性向上のため、トラブルが発生した際に制御装置の表示画面にトラブルの内容を説明する表示がなされるようにしてあり、これを読むことにより操作者がトラブル内容を容易に知ることができ、その後の復旧操作に役立つようにしている。
しかしながら、一時に複数のトラブルが同時発生しても１つのトラブルだけしか表示されなかったのですべてのトラブルを解除するのに手間がかかっていた。
特に、ある１つの根本原因に起因して複数のトラブルが同時に発生する場合に、全体のトラブルが把握できないためどのトラブルを優先して復旧すればよいか等の判断は不慣れな者にとっては困難であり、トラブルに対する操作性の向上が望まれていた。
【０００７】
そこで、本発明は生体試料分析装置で行われる各種の操作において操作性を向上するようにした装置を提供することを目的とする。
【課題を解決するための手段】
【０００８】
上記課題を解決するためになされた本発明の生体試料分析装置は、複数のコンポーネントからなり生体試料の測定を行う測定部と、測定部との間で情報を送受することにより測定部の制御を行うシステム制御部とからなる生体試料分析装置であって、システム制御部は、（ａ）各種情報を表示するための表示画面と、（ｂ）表示画面に第一表示区画を表示する第一表示区画表示部と、（ｃ）表示画面に第一表示区画とは独立した第二表示区画を表示する第二表示区画表示部と、（ｄ）測定部の制御を実行するためのコマンドに対応するアイコンを記憶するアイコン記憶部と、（ｅ）アイコンの選択操作を含む必要な入力を行うための入力部と、（ｆ）アイコン記憶部に記憶されたアイコンの一部を「基本操作アイコン」として第一表示区画内に表示する基本操作アイコン表示部と、（ｇ）入力部により少なくとも一部の基本操作アイコンが選択された際に、アイコン記憶部に記憶されたアイコンの一部を「機能選択アイコン」として表示するための「機能選択ウィンドウ」を第二表示区画内に表示する機能選択ウィンドウ表示部と、（ｈ）入力部により選択されたアイコンに対応する測定部の制御を実現するためのコマンドを抽出するコマンド抽出部と、（ｉ）コマンド抽出部により抽出されたコマンドに関する情報を測定部に送る機能制御部とを備えている。
【０００９】
この発明にかかる生体試料分析装置によれば、測定部は生体試料の測定において用いられる複数のコンポーネントで構成されており、これらコンポーネントの一部又は全部を用いて生体試料の測定を行う。また、測定部とは別に測定部の制御を行うシステム制御部を有しており、測定部との間で測定に必要なコマンド情報や測定部の状態情報を送受する。測定部の制御には、測定部を構成する各コンポーネントの操作や監視が含まれる。システム制御部は表示画面を有しており、第一表示区画表示部が表示画面に第一表示区画を表示し、第二表示区画表示部が第一表示区画とは独立した第二表示区画を表示する。
アイコン記憶部にはいくつかのアイコンが記憶されている。このアイコンにはそれぞれ測定部の制御を実行するためのコマンドが対応付けられている。そして入力部からアイコンを指定することによりそのアイコンが選択できるようになっている。
基本操作アイコン表示部はアイコン記憶部に記憶されたアイコンの一部を基本操作アイコンとして第一表示区画内に表示する。この第一表示区画は基本操作アイコンを表示するための専用の区画であり、原則として後述する他のウィンドウ画面により上書きされることはない。したがって第一表示区画内に表示されている基本操作アイコンは原則として常時画面上で表示されることになる。
機能選択ウィンドウ表示部は入力部により少なくとも一部の基本操作アイコンが選択された際に、アイコン記憶部に記憶されたアイコンの一部を機能選択アイコンとして表示するための機能選択ウィンドウを第二表示区画内に表示する。即ち、基本操作アイコンの一部には第二表示区画内に機能選択アイコンを表示するための機能選択ウィンドウを表示するアイコンが含まれており、このアイコンを選択した際に該当する機能選択ウィンドウが第二表示区画に表示される。
コマンド抽出部は、各アイコンに対応付けられたコマンドを記憶しており、また、画面上に表示されているいずれかのアイコンが入力部により選択された際にそのアイコンに対応付けられているコマンドを抽出する。そして機能制御部は、コマンド抽出部により抽出されたコマンドを測定部に送る。測定部は機能制御部より送られたコマンドを実行することにより、必要な動作が実行される。
【００１０】
基本操作アイコンには分析を開始するためのアイコンが含まれるようにしてもよい。
【００１１】
入力部により少なくとも一部の機能選択アイコンが選択された際にアイコン記憶部に記憶されたアイコンの一部を「細分機能選択アイコン」として表示するための「細分機能選択ウィンドウ」を第二表示区画内に表示する細分機能選択ウィンドウ表示部をさらに備えてもよい。
【００１２】
アイコン記憶部にはメンテナンスアイコンと複数の個別メンテナンス項目に対応する個別メンテナンスアイコン群とが含まれ、機能選択ウィンドウ表示部は機能選択アイコンのひとつとしてメンテナンスアイコンを表示するとともに、入力部によりメンテナンスアイコンが選択された際に細分機能選択ウィンドウ表示部は細分機能選択ウィンドウとして個別メンテナンスアイコン群が表示されるメンテナンスィンドウを表示するようにしてもよい。
【００１３】
第二表示区画に機能選択ウィンドウ又は細分機能選択ウィンドウが表示されている際に、少なくとも一部の基本操作アイコンが選択されると機能選択ウィンドウ表示部が当該基本操作アイコンに対応した機能選択ウィンドウを表示するようにしてもよい。
【００１４】
アイコン記憶部に記憶されるアイコンは、対応付けられた機能を絵表示する画像部分と、対応付けられた機能を説明する文字部分とから構成されるようにしてもよい。
【００１５】
アイコン記憶部は、各アイコンの画像部分の情報を記憶するアイコン画像記憶部と、各アイコンの文字部分の情報を記憶するアイコン文字記憶部とを有し、システム制御部はアイコン画像記憶部とアイコン文字記憶部との情報に基づいて表示するアイコン形態を決定するアイコン結合部をさらに備えてもよい。
【００１６】
コマンド抽出部により抽出されたコマンドが実行可能か否かを判断するコマンド実行判断部と、コマンド実行判断部が実行不可と判断したときに警告を発生する警告部とをさらに備えてもよい。
【００１７】
また、上記課題を解決するためになされた本発明の生体試料分析装置は、複数のコンポーネントからなり生体試料の測定を行うとともに、少なくとも一部のコンポーネントにはトラブルを検出するためのセンサが取り付けられた測定部と、測定部との間で情報を送受することにより測定部の制御を行うシステム制御部とからなる生体試料分析装置であって、システム制御部は、（ａ）各種情報を表示するための表示画面と、（ｂ）測定部のセンサがトラブルを検出した時に測定部から送られるエラー情報を監視・処理する装置状態情報処理部と、（ｃ）装置状態情報処理部が監視・処理するエラー情報を列挙表示するためのエラーウィンドウを表示画面に表示するエラーウィンドウ表示部と、（ｄ）エラーウィンドウに表示されたエラー情報の選択操作を含む入力を行う入力部と、（ｅ）エラー情報に関するエラー解除のためのガイド情報を記憶するガイド情報記憶部と、（ｆ）入力部により少なくとも１つのエラー情報が選択された際に選択されたエラー情報に関するエラー解除のためのガイド情報を表示画面に表示するガイド表示部とを備えている。
【００１８】
この発明にかかる生体試料分析装置によれば、測定部は生体試料の測定において用いられる複数のコンポーネントで構成されており、これらコンポーネントの一部又は全部を用いて生体試料の測定を行う。また、測定部の少なくとも一部のコンポーネントにはトラブルが発生したときにこれを検出するセンサが取り付けられている。また、測定部とは別に測定部の制御を行うシステム制御部を有しており、測定部との間で測定に必要なコマンド情報や測定部の状態情報を送受する。測定部の制御には、測定部を構成する各コンポーネントの操作や監視などが含まれる。
システム制御部は表示画面を有しており、各種の情報が表示できるようになっている。
そして、装置状態情報処理部は測定部のセンサがトラブルを検出した時に測定部から送られるエラー情報を受信し、監視・処理する。エラーウィンドウ表示部は装置状態情報処理部が監視・処理するエラー情報を列挙表示する。即ち、エラー情報が１つのときはそれを表示するが、もしも複数のエラー情報が同時に送られてくると、すべてのエラー情報を列挙するようにしてエラー情報全体が把握できるようにする。
また、入力部からエラーウィンドウに表示されているエラー情報のいずれかを選択すると、ガイド表示部がその選択されたエラー情報に関するエラー解除のためのガイド情報を、ガイド情報記憶部から検索して表示画面に表示する。
【００１９】
また、上記課題を解決するためになされた本発明の生体試料分析装置のためのプログラムは、複数のコンポーネントからなり生体試料の測定を行う測定部と、必要な入力を行うための入力部と、各種情報を表示するための表示画面とを備え、かつ、測定部との間で情報を送受することにより測定部の制御を行うシステム制御部とからなる生体試料分析装置のためのプログラムであって、（ａ）第一表示区画表示部が表示画面に第一表示区画を表示し、（ｂ）第二表示区画表示部が表示画面に第一表示区画とは独立した第二表示区画を表示し、（ｃ）アイコン記憶部が測定部の制御を実行するためのコマンドに対応するアイコンを記憶し、（ｄ）入力部がアイコンの選択操作を含む必要な入力を行い、（ｅ）基本操作アイコン表示部がアイコン記憶部に記憶されたアイコンの一部を「基本操作アイコン」として第一表示区画内に表示し、（ｆ）機能選択ウィンドウ表示部が、入力部により少なくとも一部の基本操作アイコンが選択された際に、アイコン記憶部に記憶されたアイコンの一部を「機能選択アイコン」として表示するための「機能選択ウィンドウ」を第二表示区画内に表示し、（ｇ）コマンド抽出部が入力部により選択されたアイコンに対応する測定部の制御を実現するためのコマンドを抽出し、（ｈ）機能制御部がコマンド抽出部により抽出されたコマンドに関する情報を測定部に送るようにしている。
【００２０】
また、上記課題を解決するためになされた本発明の他の生体試料分析装置のためのプログラムは、複数のコンポーネントからなり生体試料の測定を行うとともに、少なくとも一部のコンポーネントにはトラブルを検出するためのセンサが取り付けられた測定部と、必要な入力を行うための入力部と、各種情報を表示するための表示画面とを備え、かつ、測定部との間で情報を送受することにより測定部の制御を行うシステム制御部とからなる生体試料分析装置のためのプログラムであって、（ａ）装置状態情報処理部が測定部のセンサがトラブルを検出した時に測定部から送られるエラー情報を監視・処理し、（ｂ）エラーウィンドウ表示部が、装置状態情報処理部が監視・処理するエラー情報を列挙表示するためのエラーウィンドウを表示画面に表示し、（ｃ）入力部がエラーウィンドウに表示されたエラー情報の選択操作を含む入力を行い、（ｄ）ガイド情報記憶部が、エラー情報に関するエラー解除のためのガイド情報を記憶し、（ｅ）ガイド表示部が、入力部により少なくとも１つのエラー情報が選択された際に、選択されたエラー情報に関するエラー解除のためのガイド情報を表示画面に表示するようにしている。
【００２１】
そして、これらのプログラムを生体試料分析装置のシステム制御部で実行させることにより、先に述べた生体試料分析装置の機能を実現させることができる。
【発明の効果】
【００２２】
本発明によれば、生体試料分析装置の操作に必要なコマンドなどの入力操作をシステム制御部側において表示されるアイコンの選択により行うことができ、しかも基本的な操作のアイコン（たとえば分析開始のためのアイコン）を常時一定の位置に表示し、適宜使用する操作のアイコンについてはウィンドウを用いて階層的に表示するようにしたので、操作性を向上することができる。
【００２３】
さらに表示するアイコンを画像部分と文字部分とが結合された形態のものとすることにより、より理解しやすい表示とすることができ、操作性を向上させることができる。
また、画像部分と文字部分とを別々に記憶するようにすれば、簡単に文字部分を各国言語に対応させて変化させることができる。
【００２４】
また、選択されたアイコンに対応付けられたコマンドが実行可能か否かを判断できるようにして、実行不可なアイコンを選択したときに警告を発生するようにすれば、誤操作を減らすことができ、操作性を向上することができる。
【００２５】
また、測定部１０のトラブルを検出し、複数のトラブルが検出されたときにエラー情報を列挙表示するようにすれば、全体のトラブルを把握することができ、トラブルに対する操作性を向上させることができる。さらに、表示されたエラー情報のいずれかを選択することによりそのエラーの解除情報が表示されるようにすれば、なお、トラブルに対する操作性を向上させることができる。
【発明を実施するための最良の形態】
【００２６】
以下、本発明の実施の形態について、生体試料分析装置のひとつである多項目自動血球分析装置を例として図面を用いて説明する。
【００２７】
多項目自動血球分析装置
図２は本発明の実施形態の１つである多項目自動血球分析装置の全体構成を示す図である。この多項目自動血球分析装置１は、実際に血球を測定する測定部１０と、装置全体の制御を行うシステム制御部５０とから構成される。
測定部１０は、電気抵抗式および半導体レーザを使用したフローサイトメータ方式により、血液試料の血球計数項目(CBC)、白血球分類項目(DIFF)、および網状赤血球項目(RET)の測定を行う。CBC項目は、赤血球数(RBC）、白血球数（WBC）、血小板数（PLT)、ヘモグロビン量（HGB)、ヘマトクリット値（HCT)等を含む。
また、測定部１０とシステム制御部５０とは通信回線４０を介していわゆる通信プロトコルの一種であるTCP/IP方式にて相互にデータ送信可能に接続されている。
【００２８】
測定部
図３は多項目自動血球分析装置１の測定部１０の構成を示す図である。本装置では図４に示すような検体ラック２に収納された色々な形状の検体容器３に採取された血液の分析を行う。検体ラック２にはバーコード４が貼付してあり、このバーコード４には血液に関する情報や検体容器に関する情報等必要な情報が符号化情報として記録されている。
【００２９】
図３に示すように測定部１０は、検体ラック２を所定位置に自動的にセットするためのサンプラ１２、検体ラック２に貼付されたバーコード４を読取るバーコードリーダ１４、検体ラック２から検体容器３を取り出す検体取り出し部１６、取り出された検体容器３から検体（血液）を自動的に吸引する自動吸引部１８、（特殊な検査を行う場合等の目的で自動吸引部を用いないで）手動でセットされた検体容器３から検体を吸引する手動吸引部２０、複数の試薬を収納する試薬収納部２２、試薬収納部２２に収納されている試薬から検査に必要な試薬を取り出す定量ポンプ部２４、血球計数項目、白血球分類項目、及び網状赤血球項目の測定を行う検出部２６、検出部２６に必要量の試薬及び検体を定量して送り込むサンプリングバルブ２８、測定後の試薬及び検体を一時的に蓄えて排出するための排液処理部３０、バルブ等圧力気体が必要な各部に圧力を供給する空圧源３２、これらの各部（それぞれの機能を区別しないとき各部はコンポ−ネントと呼ばれる）に設けられ、その動作状況をモニターする各部のセンサ（センサ１２Ｓ〜センサ３２Ｓ）、各部のセンサからの情報が集約されるとともに測定部１０内の各部を動作制御するための測定部制御装置３４、さらには、測定部制御装置３４をシステム制御部５０にTCP/IP接続するためのインターフェース部３６とから構成されている。また、各部にトラブルが生じた際に測定部制御装置３４を介して信号を受け取ってアラーム音を発したり、後述するシステム制御部において入力が適切でないと判断された際にアラーム音（エラー音ともいう）を発したりするためのアラームブザー３８を備える。
【００３０】
したがって測定部１０は、上述したような各部（コンポーネント）が互いに連携しあって測定に必要な動作が実行できるように組立てられている。
なお、各部（コンポーネント）を接続する電気配線、試薬、検体等の流路、圧力を供給する圧力チューブについては、図示を省略する。
【００３１】
システム制御部の構成
図５は多項目自動血球分析装置１のシステム制御部５０の構成を示す図である。このシステム制御部５０は、制御本体部５２と表示部５４とに大きく分類される。
制御本体部５２は、CPU５６、ROM５８、及びRAM６０を搭載するメインボード６２、CDROMドライブ６４、フロッピーディスクドライブ６６、ハードディスクドライブ６８、キーボード７０、マウス７２、測定部１０とTCP/IP接続するためのインターフェース７４とを含む。
【００３２】
この制御本体部５２は、Windows2000（マイクロソフト社製Windowsは商標）をOSとして搭載する市販のパーソナルコンピュータを用いることができる。なお、このパーソナルコンピュータが十分な制御性能を担保できるようにするため、CPU５６にはインテル社製ペンティアム３、ペンティアム４、セレロンプロセッサ、でクロック周波数が733MHz以上、RAM６０は128MB以上、HDD６８は１０G以上ATA100以上、のインターフェースを満足するパーソナルコンピュータであることが好ましい。
【００３３】
表示部５４には、17インチTFTカラー液晶表示ディバイスが用いられるが、これに限られずCRTの表示装置を用いてもよい。また、表示部５４には入力機能を具備するタッチスクリーンを用いてもよい。
【００３４】
表示部５４には、多項目自動血球分析装置１に各種動作制御を実行させるための命令を入力するための各種アイコンが表示される。このアイコンに対してマウス７２によるクリック動作を行うことにより入力が可能になる。例えばアイコンを指定することによりユーザは動作モードの選択ができ、また、ユーザによる選択に基づいて、インターフェース部７４を介して、測定部１０に動作命令を出力することができる。
また、インターフェース部７４を介して測定部１０から送信された分析信号、装置の動作状態信号等を受け取り、検体の分析結果および装置の動作状態をこの表示部５４に表示することができるようになっている。
【００３５】
上記の動作制御、すなわち、表示部５４への各種アイコンの表示、ユーザによる動作モードの選択、動作命令の出力、測定部から送られてくる分析信号、装置の動作状態信号等の受信、分析結果の表示、等の一連の動作制御は、HDD（ハードディスク）６８内にインストールされた制御プログラムにより実行される。
この制御プログラムは、Windows2000上で動作するアプリケーションプログラムであり、あらかじめHDD６８にインストールされていてもよいし、また、CD-ROMの形態で配布されたものを、ユーザもしくはサービスマンによってインストールされるものであってもよい。
【００３６】
制御プログラムを、Windows2000上で動作するアプリケーションプログラムとすることにより、システム制御部５０を構成するパーソナルコンピュータのハードウェアは、汎用のコンピュータを用いることができるようになり、ユーザ側で準備することができるようになっている。また、ユーザ側でインストールができるようにすることにより、制御プログラムの改訂作業を簡単に行うことができるようになっている。
【００３７】
システム制御部の機能の概略説明
次に、システム制御部における機能について概略説明する。
図１は、多項目自動血球分析装置１のシステム制御部５０における機能を説明するためのブロック構成図である。ここで説明する各機能は実際には図５に示した各ハードウェア装置、即ち制御の中心となるCPU５６、BIOS等の基本プログラム等を記憶するROM５８、作業領域として働くRAM６０およびアプリケーションプログラムやデータを記憶する機能を有するHDD68、入力手段としてのキーボード７０、マウス７２、１７インチカラー液晶表示ディバイスからなる表示部５４等を用いて実現されることは言うまでもない。
【００３８】
このシステム制御部５０は図に示すように、入力部５０２（図５のキーボード７０、マウス７２に相当）、表示画面５０４（図５の表示部５４に相当）、第一表示区画表示部５０６、第二表示区画表示部５０８、第三表示区画表示部５１０、基本操作アイコン表示部５１２、機能選択ウィンドウ表示部５１４、細分機能選択ウィンドウ表示部５１６、エラーウィンドウ表示部５２０、ガイド表示部５２２、測定部状態表示部５２４、アイコン記憶部５３０、アイコン結合部５４０、コマンド抽出部５５０、コマンド実行判断部５５２、警告部５５４、機能制御部５５６、装置状態情報処理部５５８、ガイド情報記憶部５６０、とを有している。なお、これと接続される測定部１０には測定部各部１０２（測定部各部をそれぞれコンポーネントと呼び、図３の１２〜３２に相当する）、測定部制御装置１０４（図３の３４に相当する）、センサ１０６（図３の１２Ｓ〜３２Ｓに相当する）を備えている。
【００３９】
第一表示区画表示部５０６は表示画面５０４の上方位置に第一表示区画２０２（図７参照）を表示する。第二表示区画表示部５０８は第一表示区画２０２の下方に第一表示区画とは独立した第二表示区画２０４（図７参照）を表示する。第三表示区画表示部５１０は、第二表示区画２０４の下方であって表示画面５０４の下方位置に第一表示区画、第二表示区画とは独立した第三表示区画２０６（図７参照）を表示する。
【００４０】
基本操作アイコン表示部５１２は、第一表示区画２０２にアイコン記憶部５３０に記憶されたアイコンの一部を表示する。このアイコンは基本操作アイコン２０３（図７参照）として扱われる。
機能選択ウィンドウ表示部５１４は、第二表示区画２０４に、アイコン記憶部５３０に記憶されたアイコンの一部を表示するための機能選択ウィンドウを表示する。ここで表示されるアイコンは機能選択アイコン２０５（図８参照）として扱われる。この機能選択アイコン２０５のひとつにはメンテナンスアイコン２０５ｈ（図８参照）が含まれている。
この機能選択ウィンドウは、基本操作アイコンのうち特定のアイコン（たとえばメニューアイコン）が選択されたときに表示が行われる。
【００４１】
細分機能選択ウィンドウ表示部５１６は、第二表示区画２０４に、細分機能選択ウィンドウを表示する。この細分機能選択ウィンドウにはアイコン記憶部５３０に記憶されたアイコンの一部を表示する。ここで表示されるアイコンは細分機能選択アイコン２１１（図９参照）として扱われる。細分機能選択ウィンドウにはメンテナンスィンドウ２１０が含まれる。また、細分機能選択アイコン２１１には、メンテナンスウィンドウ２１０に表示される個別メンテナンスアイコン群（排液チャンバ排出２１１a〜アラーム音設定２１１ｔ、図９参照）が含まれている。
【００４２】
エラーウィンドウ表示部５２０は、第二表示区画に、エラー情報を表示するためのエラーウィンドウ（後述する図１７参照）を表示する。
このエラーウィンドウは、測定部１０にてエラーが発生したことを装置状態情報処理部５５８が認識した場合に自動的に起動する。また後述する「ヘルプアイコン」２０３ａ（図７参照）を選択した場合や、後述するメニューウィンドウ２０８の「測定部ヘルプアイコン」２０５ａ（図８参照）を選択したときも起動する。
ガイド表示部５２２は、第二表示区画２０４に、ガイド情報記憶部５６０に記憶されているガイド情報を検索して必要なガイド情報（図１７参照）を表示する。
【００４３】
測定部状態表示部５２４は、測定部状態情報処理部５５８からの情報に基づいて第三表示区画に「測定部名称」「検体番号」「エラー情報」の表示を行う。
【００４４】
アイコン記憶部５３０は、表示画面５０４で表示する基本操作アイコン２０３、機能選択アイコン２０５、細分機能選択アイコン２１１等のアイコンを記憶する。
また、アイコン記憶部５３０で記憶されるアイコンにはそれぞれコマンドが対応付けて記憶されている。
【００４５】
アイコン結合部５４０は、後述するようにアイコン記憶部５３０がアイコンを画像部分と文字部分とに分離して記憶している場合に画像部分と文字部分とを結合する。
【００４６】
コマンド抽出部５５０は、アイコン毎にコマンドを対応付けて記憶しており、また入力部５０２によりアイコンが選択された際にアイコンに対応付けられたコマンドを抽出する。
コマンド実行判断部５５２は、アイコンの選択により抽出されたコマンドがその時点で実行可能か否かを判断する。
警告部５５４は、コマンド実行判断部５５２が実行不可と判断したときに、表示画面５０４に警告文を表示したり、音声を発生したりして警告を行う。
【００４７】
機能制御部５５６は、コマンド実行判断部５５２により実行可能と判断されたときに、コマンドを測定部１０に送信する。
【００４８】
装置状態情報処理部５５８は、測定部のセンサ１０６がトラブルを検出した場合に、測定部１０から送られてくるエラー情報を受信し、エラー状態を監視する。そして装置状態情報処理部５５８はエラーウィンドウ表示部５２０にエラー情報を送る。また、ガイド表示部５２２にガイド情報を送る。
【００４９】
ガイド情報記憶部５６０は、エラー情報に対するエラーを解除するための情報を格納する。
【００５０】
また、装置状態情報処理部５５８は、エラー情報だけでなく測定部１０の測定部制御装置１０４から送られてくる測定部状態の情報を随時受信する。そして受信した情報のうち、測定部名称、検体番号、エラー情報を測定部状態表示部５２４に送る。
【００５１】
システム制御部の動作フロー
次に、システム制御部５０が実行する制御動作について説明する。
図６はシステム制御部５０で実行される制御動作のフロー図である。制御本体部５２の電源が投入され、Windows2000（OS）が立ち上がり、その後に、多項目自動血球分析装置１の制御プログラムがHDD６８（ハードディスク）から読み出され、処理が開始される。
【００５２】
（ｓｔ１０１）
制御プログラムが立ち上がると、「初期画面」が表示される。
図７は初期画面を示す図である。初期画面において、17インチTFT液晶表示画面の上部に第一表示区画２０２、その下に画面の大半を占める第二表示区画２０４、その下に第三表示区画２０６が表示されている。
【００５３】
第一表示区画２０２内には本装置の基本操作コマンドに対応する「基本操作アイコン」２０３が表示される。ここで「基本操作コマンド」とは装置を動作させる上で特によく使用するコマンドや、必要なときにすぐに使用したい一連のコマンドをいう。ここで用いられる「基本操作コマンド」もそのような意味を含んでいるが、ここでは第一表示区画２０２に表示した基本操作アイコン２０３に対応するコマンドが「基本操作コマンド」であるとして形式的に定義して扱うことにする。そしてこの第一表示区画２０２に表示されるアイコンが「基本操作アイコン」と定義される。
【００５４】
例えば、操作の手順を示すヘルプコマンドに対応するヘルプアイコン２０３a、手動での測定を行うマニュアルアイコン２０３ｂ、サンプラを用いた自動測定を行うサンプライコン２０３ｃ、メニューの表示を要求するメニューアイコン２０３e等が基本操作アイコンとして表示される。マニュアルアイコン２０３ｂ・サンプライコン２０３ｃは、それぞれ手動・自動で、本装置での分析を開始するためのアイコンである。つまり、分析を開始するためのスタートスイッチ的役割を持つアイコンが、後述する第二表示区画・第三表示区画と独立して常に表示されている第一表示区画に表示されているということになる。このことにより、第一表示区画以外の区画にどのような表示がなされていても、測定部側の準備さえ整っていればいつでも分析を開始すべくマニュアルアイコン２０３ｂまたはサンプライコン２０３ｃを選択しコマンドを実行することができる。
【００５５】
第二表示区画２０４内は、図７に示すように初期画面においては何も表示されていない。この領域は、後述するような初期画面表示後の処理において、各種ウィンドウ、ダイアログボックス等が表示されるエリアである。
【００５６】
第三表示区画２０６は、接続されている測定部の名前（例えばXT-2000i-1のような型式が表示される）、測定中の検体番号、トラブルが発生している場合はトラブル表示等がなされるエリアであるが、初期画面においては、接続されている測定部の名前のみが表示されている。
続いてｓｔ１０２に進む。
【００５７】
（ｓｔ１０２）
第一表示区画２０２内の基本操作アイコン２０３（ヘルプアイコン２０３a等）が選択されたかどうかがチェックされる。基本操作アイコン２０３の選択は、マウス７２で基本操作アイコン２０３を指し、ダブルクリックするか、もしくは、エンターキーを押すことにより、実行される。なお、アイコン選択操作は後述する他のアイコン操作についても同様である。
続いてｓｔ１０３に進む。第一表示区画２０２内の基本操作アイコン２０３が選択されていないときはｓｔ１０６に進む。
【００５８】
（ｓｔ１０３）
選択されたアイコンが有効か判断する。具体的には、選択された基本操作アイコン２０３に相当する基本操作コマンドが実行可能かどうかを判断し、実行可能であればｓｔ１０４に進む。現在の装置の状況では実行不能の場合には、ｓｔ１０５に進む。
なお、実行可能か否かはプログラム的な実行阻害理由（プログラムの工程上論理的に実行できない場合等）について判断される。
また、測定部からの情報とは別にプログラム上で実行不可な状態を設けるようにしておき、これについて判断するようにしてもよい。たとえば、一定時間測定を行わなかった場合に装置が自動的にスリープ状態となり空圧源が停止することがある。その場合に空圧源の圧力不足で「サンプラ」（測定を開始するコマンド）を実行すると異常な動作が行われることになりかねない。そのためこれを防止するために、プログラム上でスリープ状態になったか否かをプログラム上のタイマ管理によって監視し、スリープ状態になった場合にはその後の「サンプラ」コマンドは空圧源が一定の圧力になるまでは実行できないようにする。
【００５９】
（ｓｔ１０４）
選択された基本操作アイコン２０３に相当するコマンドを実行する。例えば、メニューアイコン２０３eが選択された場合には、メニューとして用意された機能選択アイコンを含む「メニューウィンドウ」を第二表示区画２０４内に表示する。
【００６０】
図８はメニューウィンドウ２０８を表示した状態を示す図である。第二表示区画２０５内に表示されるメニューウィンドウ２０８には「動作モード」に対応した「機能選択アイコン２０５」（測定部ヘルプ２０５a、マニュアル測定２０５ｂ、サンプラ測定２０５ｃ、精度管理測定２０５ｄ、シャットダウン２０５e、自動洗浄２０５ｆ、試薬交換２０５ｇ、メンテナンス２０５ｈ、手動校正２０５i、自動校正２０５ｊ、calibration History(キャリブレーション履歴)２０５ｋ、エラー履歴２０５ｌ、XbarM２０５ｍ（XbarM精度管理）、サービス２０５ｎ、測定部制御２０５o、の各アイコン）が表示される。
【００６１】
なお、「動作モード」とは一般には何らかの機能を実現するために装置に実行させる一連の動作をいう。即ち「動作モード」はある機能を実現するための一連の操作を行うコマンドから構成される。ここで用いられる「動作モード」にもそのような意味が含まれるが、ここでは第二表示区画２０４に表示してある機能選択アイコン２０５に対応するコマンドにより実現される機能のことを「動作モード」として形式的に定義することにする。そして「動作モード」を構成するコマンドを実行するために第２表示区画２０４に表示するアイコンを「機能選択アイコン」と定義する。
【００６２】
基本操作アイコン２０３と機能選択アイコン２０５との差異を理解するためにさらに説明する。先に説明したヘルプアイコン２０３ａ（図７参照）と、測定部ヘルプアイコン２０５ａ（図８参照）とは、いずれのアイコンをマウスによりダブルクリックしても同じ機能・動作が実行されることになる。しかし、ヘルプアイコン２０３ａは第一表示区画２０２に表示してあるため「基本操作アイコン」と形式的に定義される。一方、測定部ヘルプアイコン２０５ａは第二表示区画２０４に表示してあるため「機能選択アイコン」と形式的に定義される。
【００６３】
「メニューウィンドウ」２０８をはじめ、このステップで表示されるウィンドウ画面はすべて第二表示区画２０４内に収まるように制御される。即ち、第一表示区画２０２および第三表示区画２０６の表示は、第二表示区画の裏に隠れず、常に、ユーザから目視可能な状態で表示される。
続いてｓｔ１０６に進む。
【００６４】
（ｓｔ１０５）
ｓｔ１０３で選択された基本操作アイコン２０３に対応するコマンドが、現在の装置状況では実行不能であることを示すアラーム音を発生する。アラーム音に変えて、第二表示区画２０４内に警告文の入った「ポップアップウィンドウ」を表示してもよい。また、アラーム音とポップアップウィンドウの両方であってもよい。
続いてｓｔ１０６に進む。
【００６５】
（ｓｔ１０６）
第二表示区画２０４内の機能選択アイコン２０５が選択されたかどうかがチェックされる。機能選択アイコン２０５の選択は、マウスにより実行されることは前述したとおりである。
続いてｓｔ１０７に進む。第二表示区画２０４内の機能選択アイコン２０５が選択されていないときはｓｔ１１０に進む。
【００６６】
（ｓｔ１０７）
選択されたアイコンが有効か判断する。具体的には、選択された機能選択アイコン２０５に相当するコマンド（動作モード）が実行可能かどうかを判断し、実行可能であればｓｔ１０８に進む。現在の装置状況では実行不能の場合には、ｓｔ１０９に進む。
【００６７】
（ｓｔ１０８）
選択された機能選択アイコン２０５に相当するコマンドを実行する。このとき、機能選択アイコン２０５の種類によっては次に実行されるコマンドが単一であって一義的に定まる場合にはそのコマンドが実行されるが、機能選択アイコン２０５のなかには実行する機能が複数あっていずれを実行するかをさらに選択しなければならない場合がある。この場合は、選択された機能に対応してさらに細分類された新しい「細分機能選択ウィンドウ」が開くようになっている。この細分機能選択ウィンドウには細分機能選択アイコンが表示される。
【００６８】
例えば、「メンテナンスアイコン２０５ｈ」（図８参照）が選択された場合には、第二表示区画２０４内にメンテナンスメニューとして用意されたアイコンを含む「メンテナンスウィンドウ」（細分機能選択ウィンドウの１つ）を第二表示区画２０４内に表示する。
【００６９】
図９はメンテナンスウィンドウ２１０を表示した状態を示す図である。メンテナンスウィンドウ２１０は先に表示されていたメニューウィンドウ２０８の上に上書きされる。メンテナンスウィンドウ２１０の大きさは、第二表示区画２０４の全領域に相当する大きさであってもよく、また、それよりも小さい大きさであってもよい。
【００７０】
第二表示区画２０４内に表示されるメンテナンスウィンドウ２１０にはメンテナンスモード（動作モードの１つ）に対応した「細分機能選択アイコン２１１」（排液チャンバ排出２１１ａ、排液チャンバ洗浄２１１ｂ、フローセル気泡除去２１１ｃ、フローセル洗浄２１１ｄ、・・・）が表示される。
続いてｓｔ１１０に進む。
【００７１】
（ｓｔ１０９）
ｓｔ１０７にて選択された機能選択アイコン２０５に対応するコマンドが、現在の装置状況では実行不能であることを示す警告音を発生する。警告音に変えて、第二表示区画２０４内に警告文の入ったポップアップウィンドウを表示してもよい。また、警告音とポップアップウィンドウの両方であってもよい。
続いてｓｔ１１０に進む。
【００７２】
（ｓｔ１１０）
測定部１０にトラブルが発生しているかどうかを判断する。トラブルの判断は、測定装置に設けられた各センサ（１２Ｓ〜３２Ｓ）からの信号に基づいて判断される。トラブルが発生していると判断されたときは、ｓｔ１１１に進む。
【００７３】
（ｓｔ１１１）
トラブルに応じた処置がなされる。トラブルおよびその処理の詳細については後述する。
【００７４】
ｓｔ１１１の終了後、および、ｓｔ１１０でトラブルが発生しなかったとき、処理ルーチンはｓｔ１０２に戻り、以後同様の動作を繰り返し実行する。  即ち、この制御プログラムは、ステップｓｔ１０２〜ｓｔ１１１を常時実行しており、どのようなタイミングでアイコン（基本操作アイコン２０３、機能選択アイコン２０５、細分機能選択アイコン２１１のいずれか）が操作されても、選択されたアイコンに対応するコマンドが実行可能であれば、即座にそれを実行するように構成されている。これは、ユーザの要求に対して、リアルタイムに応答できるようにするものであり、操作性を著しく向上させている。また、選択されたアイコンに対応するコマンドが、現在の装置の状況において実施不可能であれば、選択されたコマンドが実行されないので、装置を誤動作させることはない。また、ユーザに対して選択できなかったことを通知するので、なぜ選択したコマンドが実施されなかったのかの理由がわかりやすくなっており、親切なユーザインターフェースとなっている。
【００７５】
アイコン表示
次にこの装置で用いられるアイコンについて説明する。表示部５４に表示されるアイコンは、図１０（ａ）（ｂ）に示すように画像部３０２と文字部（和文）３０４、文字部（英文）３０６とから構成されている。
画像部３０２は、そのアイコンに対応するコマンドを直感的に理解しやすくするためのものであり、コマンドにより実行する機能に関連した絵が採用されている。また、文字部は、コマンドの内容を簡潔な文字で表示している。
【００７６】
例えば、「シャットダウンコマンド」に対応するシャットダウンアイコン２０５ｅ（図８参照）は、その画像部３０２にはパワースイッチの絵が用いられ、文字部３０４には「シャットダウン」という文字が用いられている。したがって、このユーザインターフェースは、ユーザにとって、アイコンの意味するコマンドをその右脳及び左脳の両方で理解することができ、きわめて使いやすいものとなっている。
【００７７】
アイコンのデータ構造
アイコンを構成する画像部３０２と文字部３０４、３０６とは、独立したデータテーブルに記憶してある。即ち、図１１（ａ）に示すように「アイコン」に対してそのアイコンに用いる「画像部データ」（image1,image2,・・・）と、同じくそのアイコンに用いる「文字部データ」（letter1,letter2,・・・）とを別々に関係付けることができるようになっており、また、図１１（ｂ）に示すように「アイコン」に対応する「文字部データ」は各国言語ごとに用意されている。
したがって、図１１（ｂ）から使用する言語を指定することにより、図１１（ａ）の「文字部データ」に図１１（ｂ）からの「文字部データ」が割り付けられることで、効率よくアイコンを変更することができる。
【００７８】
また、必ずしもあらかじめ複数言語に対応できるように用意しておくのではなく、必要なときに図１２（ｂ）のテーブルにユーザが文字を入力することで変更できるようにしてもよい。
【００７９】
測定部の状態表示
次に、第一表示区画、第二表示区画とは別に設けられた第三表示区画による測定部状態の表示について説明する。
図１２は第三表示区画２０６の表示状態を示す図である。この第三表示区画区画は図７、図８、図９にも示したように常に目視できるようにしてある。そして、この区画内には測定部の名称を表示する測定部名称表示エリア３１０、検体番号を表示する検体番号表示エリア３１２、トラブルが発生したときにメッセージを表示するトラブル表示エリア３１４とが含まれる。例えば、型式・機体番号「XT-2000i-1」の測定部が接続されている場合には「XT-2000i-1」の表示がなされ、検体番号123456789012345が測定中であるときはその番号が表示される。さらに測定中にトラブルが生じた場合あるいは生じる恐れがある場合にはその旨の警告が表示される。図１２では警告表示の例として"Replace Container RED"（ＲＥＤ試薬交換）の警告が表示されている。表示はリアルタイムで更新される。
【００８０】
各機能の説明
以下、メニューウィンドウ（図８参照）に表示されるアイコンに基づいて本装置で実行される機能の実施例を説明する。
【００８１】
手動校正
メニューウィンドウ（図８）において「手動校正アイコン」２０５ｉを選択し、マウスにてダブルクリックするかもしくはキーボードにてエンターキーを押すことにより図１３に示した手動校正ダイアログが第二表示区画２０４内に表示される。この手動校正ダイアログでは、入力によりHGBおよびHCTの補正率を変更することができる。但し、測定部１０が"スタンバイ"状態（試薬の残量・測定部の温度・各機構の位置等がチェックされ、測定開始できる状態をいう）でなければ手動校正は実行されない。それ以外の状態では測定部にてエラー音("ピーッ")が鳴り、ダイアログは表示されない。
以下はダイアログに表示される内容についての説明である。
HGB(Current)：
HGBに対して現在設定されている補正率を表示する。
HCT(Current)：
HCTに対して現在設定されている補正率を表示する。
HGB(New)：
HGBに対する新しい補正率を入力する。この値は80.0以上かつ120.0以下でなければならない。入力は小数点下一桁までできる。
HCT(New)：
HCTに対する新しい補正率を入力する。この値は80.0以上かつ120.0以下でなければならない。入力は小数点下一桁までできる。
OKボタン：
入力された新しいHGBおよびHCTの補正率を装置に反映させ手動校正ダイアログを閉じる。HGBおよびHCTそれぞれの新しい補正率が80.0以上かつ120.0以下でなければこのボタンは有効にならず押すことは出来ない。
Cancelボタン：
HGBおよびHCTの補正率の変更を中止し、手動校正ダイアログを閉じる。画面起動時にはこのボタンにフォーカスがある。
【００８２】
自動校正
メニューウィンドウ（図８）において「自動校正アイコン」２０５ｊを選択し、マウスにてダブルクリックするかもしくはキーボードにてエンターキーを押すことにより、図１４に示す自動校正ダイアログが第二表示区画２０４内に表示される。この自動校正ダイアログでは、新鮮な正常血液を５〜１０検体使用し自動的にHGBおよびHCTの補正率を計算し、それらの値を装置の新しい補正率へ変更することができる。自動校正ダイアログでは測定ディスクリート（検査項目群のことをいう。図１８参照）が自動的にCBCとなる。
但し、測定部１０が"スタンバイ"状態でなければ自動校正は実行されない。それ以外の状態ではエラー音("ピーッ")が鳴り、ダイアログは表示されない。
以下はダイアログに表示される内容についての説明である。
OKボタン：
自動校正にて自動的に算出した新しいHGBおよびHCTの補正率を装置に反映させ自動校正ダイアログを閉じる。HGBおよびHCTそれぞれの新しい補正率が80.0以上かつ120.0以下でかつ新しく計算された新補正率と現在設定されている補正率の差が5%以下でなければこのボタンは有効にならず押すことはできない。
Cancelボタン：
図１５に示したキャンセル確認ダイアログを表示する。HGBおよびHCTの補正率の変更中止を確認する。
Graphボタン：
選択した自動校正で測定した最新のデータを表示するための図１６に示したデータ表示ダイアログを開く。図１６に示すデータ表示ダイアログには、各測定項目の測定データの他、各種スキャッタグラムやヒストグラムが表示される。
【００８３】
測定部ヘルプ
測定部１０で異常が発生した場合、測定部１０はアラームを鳴らす。システム制御部５０はこの時発生しているエラーを優先順位が高いものから順にリスト表示する。そして、入力部５０２からエラーリスト中のエラーを選択することにより、その選択したエラーに対する復帰処理を実行することができる。
図７に示した第一表示区画２０２において「ヘルプアイコン」２０３ａを選択し、マウスにてダブルクリックするかもしくはキーボードにてエンターキーを押すことにより図１７に示すヘルプダイアログが起動する。また、図８に示したメニューウィンドウ２０８のヘルプアイコン２０５ａからも起動することができる。更に、測定部１０にてエラーが発生した場合も自動的に起動する。
以下はダイアログに表示される内容についての説明である。
Error List（エラーリスト）：
測定部１０で発生しているエラーをエラーの優先順位が高いものから順に上から表示する。あらたにエラーが発生した場合、優先順位に従って更新され再度表示される。画面起動時および再描画時には最も優先順位の高いエラーが選択された状態となるが、マウスもしくはキーボードにて任意のエラー項目を選択し、任意のエラー項目からエラーを解除していくことも可能である。
Action（アクション）：
エラーリストで選択しているエラーに関する説明およびそのエラーの復帰方法が表示される。
OKボタン：
エラーリストで選択しているエラーに対する適切な復帰処理の実行または、復帰処理に必要な画面を開く。このボタンはエラーが起っている時のみ有効となる。Cancelボタン：
Helpダイアログを閉じる。
Reset Alarmボタン：
測定部１０のアラーム音を止める。
【００８４】
検体測定
検体の測定には、マニュアルモードとサンプラモードの２種類がある。マニュアルモードは、手動により攪拌した検体を測定する測定方法である。サンプラモードは、ラックにセットした採血管のキャップを開けることなく攪拌、吸引を自動的に行い測定する測定方法である。ラックには一度に最大10本の採血管をセットできサンプラには一度に最大5ラックをセットすることができる。
【００８５】
マニュアルモード測定
第一表示区画２０２の「マニュアルアイコン」２０３ｂを選択し、マウスにてダブルクリックするかもしくはキーボードにてエンターキーを押すことによりマニュアルモード測定ダイアログが起動する。図１８に示すマニュアルモード測定ダイアログでは、必要に応じて検体番号、ディスクリート（検査項目群）および測定モードを入力することができる。実際のマニュアルモード測定は測定部１０にあるスタートスイッチを押すことにより開始する。
マニュアルモード測定ダイアログでは更に、5倍希釈された検体を測定するキャピラリモードおよび採血管のキャップを開けずにサンプラを使用して測定するマニュアルクローズドモードがある。
マニュアルモードは手動で攪拌した通常の検体をマニュアルピペット（手動吸引部２０に含まれる）から吸引し測定を行う。測定部１０にあるスタートスイッチを押すことにより測定が開始される。キャピラリモードは手動で攪拌した5倍に希釈された検体をマニュアルピペットから吸引し測定を行う。測定部１０にあるスタートスイッチを押すことにより測定が開始される。
マニュアルクローズドモードは、ラックの1番目にセットされた検体をサンプラ１２で移動させキャップピアサユニット（自動吸引部１８に含まれる）から吸引し測定を行う。
測定部１０にあるスタートスイッチを押すことにより測定が開始される。この場合採血管のキャップを外す必要はない。
但し、測定部１０が"スタンバイ"状態である必要がある。それ以外の状態ではエラー音("ピーッ")が鳴り、ダイアログは表示されない。
以下はダイアログに表示される内容についての説明である。
sample No.（検体番号）：
測定する検体番号を入力する。半角で15桁の入力が可能である。測定後、自動的に検体番号はインクリメントされる。
Discrete(ディスクリート（検査項目群））：
検体測定のディスクリートを選択する。ダイアログ起動時は、現在指定されているディスクリートを選択する。プログラム起動時はCBCが選択される。
以下のディスクリートのいずれかを選択する。
CBC：
CBC(RBC,WBC,HGB,HCT,MCV,MCH,MCHC,PDW-CV,PDW-SV,PLT,PDW,MPV,P-LCR,PCT)項目を測定する場合に選択する。
CBC+DIFF：
CBC+DIFF(RBC, WBC, HGB, HCT, MCV, MCH, MCHC, PDW-CV, PDW-SV, PLT, PDW, MPV, P-LCR, PCT, NEUT%, LYMPH%, MONO%, EO%, BASO%, NEUT# ,LYMPH#, MONO#, EO#, BASO#)項目を測定する場合に選択する。
なお、キャピラリモードの時は選択できない。キャピラリモードで測定する場合はDIFF項目の測定精度が低下するおそれがあるためである。キャピラリモード以外が選択されていた時にこのディスクリートが選択されており、キャピラリモードが選択された時、ディスクリートは自動的にCBCとなる。
DIFF測定用試薬関連に異常があった場合は選択することはできない。異常が発生した時、ディスクリートは自動的にCBCとなる。
CBC+RET：
CBC+RET(RBC, WBC, HGB, HCT, MCV, MCH, MCHC, PDW-CV, PDW-SV, PLT, PDW, MPV, P-LCR, PCT, RET#, RET%, HFR, MFR, LFR, IRF)項目を測定する場合に選択する。
RET測定用試薬関連に異常があった場合は選択することはできない。異常が発生した時、ディスクリートは自動的にCBCとなる。
CBC+DIFF+RET
CBC+DIFF+RET(RBC, WBC, HGB, HCT, MCV, MCH, MCHC, PDW-CV, PDW-SV, PLT, PDW, MPV, P-LCR, PCT, NEUT%, LYMPH%, MONO%, EO%, BASO%, NEUT# ,LYMPH#, MONO#, EO#, BASO#, RET#, RET%, HFR, MFR, LFR, IRF)項目を測定する場合に選択される。
キャピラリモードの時は選択できない。キャピラリモード以外が選択されていた時にこのディスクリートが選択されており、キャピラリモードが選択された時、ディスクリートは自動的にCBC+RETとなる。
RET測定用試薬関連に異常があった場合は選択することはできない。異常が発生した時、ディスクリートは自動的にCBC+DIFFとなる。
DIFF測定用試薬関連に異常があった場合は選択することができない。異常が発生した時、ディスクリートは自動的にCBC+RETとなる。
DIFFおよびRET測定用試薬関連に異常があった場合は選択することはできない。異常が発生した時、ディスクリートは自動的にCBCとなる。
Mode(測定モード)：
検体の測定モードを選択する。ダイアログ起動時は、現在指定されている測定モードが選択される。
Manual（マニュアル）モード：
マニュアルモードで測定する場合に選択される。変更されるまで、他のモードに変ることはない。測定部起動時にはこのマニュアルモードが選択されている。
Capillary（キャピラリ）モード：
キャピラリモードで測定する場合に選択される。変更されるまで、他のモードに変ることはない。他のモードからキャピラリモードが選択された場合、ディスクリートは自動的にCBCが選択される。
なお、キャピラリモードとは、検体をあらかじめ手動で5倍に希釈してから測定するモードをいう。新生児など、血液を微量しか採取できない場合にこのモードが使用される。装置が、得られた測定結果を自動的に5倍にする。
Closed（マニュアルクローズド）モード：
マニュアルクローズドモードで測定する場合に選択される。変更されるまで、他のモードに変ることはない。
サンプラ関連に異常があった場合は選択することはできない。異常が発生した時、ディスクリートは自動的にマニュアルモードとなる。
OKボタン：
入力された検体番号、ディスクリートおよび測定モードを確定し、マニュアルモード測定画面を閉じる。
Cancelボタン：
入力された検体番号、ディスクリートおよび測定モードを破棄し、マニュアルモード測定画面を閉じる。
【００８６】
サンプラモード測定
第一表示区画２０２の「サンプラアイコン」２０３ｃを選択し、マウスにてダブルクリックするかもしくはキーボードにてエンターキーを押すことにより図１９に示すサンプラモード測定ダイアログが起動する。
サンプラモード測定ダイアログでは、必要に応じて検体番号、ラック番号、試験管位置番号およびディスクリートを入力することができ、Sampler startボタンを押すことによりサンプラ測定が開始される。
サンプラ関連に異常があった場合、アイコンはdisable（使用不可）となり実行することはできない。サンプラ接続しない設定の場合、アイコンは表示されない。但し、測定部１０が"スタンバイ"状態でなければスタートができないようになっている。それ以外の状態では測定部１０にてエラー音("ピーッ")が鳴り、ダイアログは表示されない。
以下はダイアログに表示される内容についての説明である。
Sample No.（検体番号）：
測定する検体番号を入力する。半角で15桁の入力が可能であり、測定後、自動的に検体番号はインクリメントされる。
Rack No.（ラック番号）：
ラック番号を入力する。6桁の数字が入力可能であり、サンプラ測定後、ラック番号は試験管位置番号が10を超える度にインクリメントされる。サンプラ測定中はdisable（使用不可）となり入力することはできない。
Tube Position（試験管位置）：
サンプラ測定を開始する試験管位置を入力する。ここには2桁の数字が入力可能である。サンプラ測定毎に、自動的に試験管位置はインクリメントされていく。試験管位置が10を超える度にラック番号はインクリメントされる。
試験管位置番号は1〜10の数字が入力可能である。この項目からフォーカスが外れる時に入力された値が1より小さい場合は1に、また10より大きい場合は10へ自動的に変更される。
また、サンプラ測定中はdisable（使用不可）となり入力することができなくなる。
Discrete（ディスクリート）：
検体の測定のディスクリートを選択する。画面起動時は現在設定されているディスクリートが表示される。サンプラ測定中はdisable（使用不可）となり選択することはできなくなる。
Sampler startボタン：
入力された検体番号、ラック番号、試験管位置番号およびディスクリートを確定し、サンプラモード測定を開始する。
【００８７】
試薬交換
図８のメニューウィンドウ２０８において「試薬交換アイコン」２０５ｇを選択し、マウスにてダブルクリックするかもしくはキーボードにてエンターキーを押すことにより図２０に示した試薬交換ダイアログが起動する。試薬交換ダイアログでは、試薬の交換を行うことができる。またその際、交換履歴を残す試薬を選択でき、選択した試薬の試薬交換履歴を残すことができる。交換が必要な試薬は画面起動時に自動的に交換履歴を残すように選択される。
但し、測定部１０が"スタンバイ状態でなければならない。それ以外の状態では測定部１０にてエラー音("ピーッ")が鳴り、ダイアログは表示されない。
以下はダイアログに表示される内容についての説明である。
EPK：
EPK試薬の交換履歴に残す残さないを選択する。EPKの交換履歴を残す場合にはEPKのチェックボックスにチェックを入れる。画面起動時にEPKの交換が必要な場合は自動的にチェックが入る。
SLS：
SLS試薬の交換履歴に残す残さないを選択する。SLSの交換履歴を残す場合にはSLSのチェックボックスにチェックを入れる。画面起動時にSLSの交換が必要な場合は自動的にチェックが入る。
FBA：
FBA試薬の交換履歴に残す残さないを選択する。FBAの交換履歴を残す場合にはFBAのチェックボックスにチェックを入れる。
FFD：
FFD 試薬の交換履歴に残す残さないを選択する。FFDの交換履歴を残す場合にはFFDのチェックボックスにチェックを入れる。
FFS：
FFS試薬の交換履歴に残す残さないを選択する。FFSの交換履歴を残す場合にはFFSのチェックボックスにチェックを入れる。
RED：
RED試薬の交換履歴に残す残さないを選択する。REDの交換履歴を残す場合にはREDのチェックボックスにチェックを入れる。
OKボタン：
試薬の交換を行う。試薬交換ダイアログを閉じ、試薬交換シーケンスを実行する。
但し、FFSまたはREDのいずれかに試薬交換の必要がある場合は次に示す試薬交換警告ダイアログの警告画面が表示される。
Cancelボタン：
交換試薬の選択を中止し、試薬交換ダイアログを閉じる。
【００８８】
試薬交換警告
試薬交換ダイアログが表示されているときでFFSまたはREDのいずれかに試薬交換の必要がある場合にOKボタンをクリックすると図２１に示す警告画面としての試薬交換警告ダイアログが表示される。
以下はダイアログに表示される内容についての説明である。
OKボタン：
試薬交換シーケンスを実行する。
Cancelボタン：
試薬交換警告ダイアログを閉じ試薬交換ダイアログに戻る。
【００８９】
自動洗浄
図８のメニューウィンドウ２０８において「自動洗浄アイコン」２０５ｆを選択し、マウスにてダブルクリックするかもしくはキーボードにてエンターキーを押すことにより図２２に示す自動洗浄ダイアログが起動する。本機能により検出部２６を始めとする流体回路内が自動的に洗浄され、ブランク値が計測される。
但し、測定部１０が"スタンバイ"の状態でなければならない。それ以外の状態では測定部１０にてエラー音("ピーッ")が鳴り、ダイアログは表示されない。
以下はダイアログに表示される内容についての説明である。
Blank Check：
自動洗浄終了後のブランク値を表示する。ブランク値とは、検出部を検体が通過しない状態で計測された値であり、その値が高ければ、何らかの夾雑物が流体回路内に残存していることを示す。各項目のブランク値は自動洗浄中には表示されず、自動洗浄終了表示される。ブランク値および単位は制御部の設定に連動して表示される。ブランク値が許容ブランク値より大きい場合その項目の背景は赤く表示される。
RBC：
自動洗浄実行後のRBCのブランク値が表示される。
HGB：
自動洗浄実行後のHGBのブランク値が表示される。
PLT：
自動洗浄実行後のPLTのブランク値が表示される。
PLT-O：
自動洗浄実行後のPLT-Oのブランク値が表示される。
WBC：
自動洗浄実行後のWBCのブランク値が表示される。
DIFF-WBC：
自動洗浄実行後のDIFF-WBCのブランク値が表示される。
自動洗浄進捗表示：
自動洗浄シーケンスの進捗状況が表示される。
Closeボタン：
自動洗浄ダイアログを閉じる。
このボタンは自動洗浄シーケンスが終わるまでは無効となっており、押すことはできない。シーケンスが終了し、ブランク値が表示されると有効になる。
【００９０】
メンテナンス
図８のメニューウィンドウ２０８において「メンテナンスアイコン」２０５ｈを選択し、マウスにてダブルクリックするかもしくはキーボードにてエンターキーを押すことにより図９のメンテナンスウィンドウ２１０が起動する。ここでは、測定部１０が正しく動作しているかを確認したり、検出された異常の原因を見つけたりすることができる。さらに、コンポーネントをテスト動作させることにより各部のエラーを解除することができる。
以下、メンテナンスウィンドウ２１０に表示されるアイコンに基づいて本装置で実行される機能を説明する。
【００９１】
センサ(温度、圧力、その他)
メンテナンスウィンドウ２１０において「センサアイコン」２１１ｑを選択し、マウスにてダブルクリックするかもしくはキーボードにてエンターキーを押すことにより図２３に示すセンサダイアログが起動する。ここでは、測定部１０の各部温度、圧力および各種センサの情報が0.5秒毎に更新されながら表示される。
【００９２】
動作カウンタ表示
メンテナンスウィンドウ２１０において「動作カウンタアイコン」２１１ｒを選択し、マウスにてダブルクリックするかもしくはキーボードにてエンターキーを押すことにより図２４に示す動作カウンタ表示ダイアログが起動する。
動作カウンタ表示ダイアログでは測定部１０の各コンポーネントの動作回数(レーザは発振時間)を表示する。またSRV（サンプリングバルブ）およびピアサの動作回数をリセットすることができる。
メンテナンスウィンドウ２１０において「動作カウンタアイコン」２１１ｒを選択し、マウスにてダブルクリックするかもしくはキーボードにてエンターキーを押すことにより図２４に示す動作カウンタ表示ダイアログが起動する。
以下はダイアログに表示される内容についての説明である。
Total:
装置の動作回数を表示する。
CBC:
CBCを測定するモードでの動作回数を表示する。
DIFF:
DIFFを測定するモードでの動作回数を表示する。
RET:
RETを測定するモードでの動作回数を表示する。
FFS:
DIFF用試薬交換後の、DIFFを測定するモードでの動作回数を表示する。
Shutdown（シャットダウン）:
シャットダウン実行後の動作回数を表示する。
Piercer（ピアサ）:
ピアサ交換後のピアサ動作回数を表示する。
SRV（サンプリングバルブ）:
SRV洗浄後の動作回数を表示する。
FCM Sheath Motor(FCMシースモータ)：
FCM Sheath Motorの動作回数を表示する。
RBC Sheath Motor（RBCシースモータ）:
RBC Sheath Motorの動作回数を表示する。
WB Motor（全血吸引モータ）:
WB Motorの動作回数を表示する。
Laser Oscillation Time（レーザオシレーションタイム）:
Laserのトータル発振時間をHH:MM（**時**分）で表示する。
Total Reset ボタン：
Totalカウンタをリセットする。このボタンはサービスマンの権限を持つユーザがログオンした時にのみ表示される。
CBC Reset ボタン：
CBCカウンタをリセットする。このボタンはサービスマンの権限を持つユーザがログオンした時にのみ表示される。
DIFF Reset ボタン：
DIFFカウンタをリセットする。このボタンはサービスマンの権限を持つユーザがログオンした時にのみ表示される。
RET Reset ボタン：
RETカウンタをリセットする。このボタンはサービスマンの権限を持つユーザがログオンした時にのみ表示される。
FFS Reset ボタン：
FFSカウンタをリセットする。このボタンはサービスマンの権限を持つユーザがログオンした時にのみ表示される。このボタンはサービスマンの権限を持つユーザがログオンした時にのみ表示される。
Shut Down Reset ボタン：
Shut Downカウンタをリセットする。このボタンはサービスマンの権限を持つユーザがログオンした時にのみ表示される。
Piercer Reset ボタン：
Piercerカウンタをリセットする。
SRV Reset ボタン：
SRVカウンタをリセットする。
FCM Sheath Motor Reset ボタン：
FCM Sheath Motorカウンタをリセットする。このボタンはサービスマンの権限を持つユーザがログオンした時にのみ表示される。
RBC Sheath Motor Reset ボタン：
RBC Sheath Motorカウンタをリセットする。このボタンはサービスマンの権限を持つユーザがログオンした時にのみ表示される。WB Motor Reset ボタン：
WB Motorカウンタをリセットする。このボタンはサービスマンの権限を持つユーザがログオンした時にのみ表示される。
Laser Oscillation Time Reset ボタン：
Laser Oscillation 時間をリセットする。このボタンはサービスマンの権限を持つユーザがログオンした時にのみ表示される。
OKボタン：
各カウンタのリセットボタンでのリセットを確定し、動作カウンタ表示ダイアログを閉じる。
キャンセル ボタン：
各カウンタのリセットボタンでのリセットを中止し、動作カウンタ表示ダイアログを閉じる。
【００９３】
フローセル気泡除去
図９のメンテナンスウィンドウ２１０において「フローセル気泡除去アイコン」２１１ｃを選択し、マウスにてダブルクリックするかもしくはキーボードにてエンターキーを押すことによりフローセル気泡除去シーケンスが実行される。フローセルは検出部２６に含まれる。フローセル気泡除去では、フローセル気泡除去シーケンスを実行しフローセル内の気泡を除去することができる。フローセル気泡除去シーケンス実行中は図２５に示すフローセル気泡除去中ダイアログを表示する。このダイアログはフローセル気泡除去シーケンスが終了後、自動的に閉じる。
但し、測定部１０が"スタンバイ"の状態でなければならない。それ以外の状態では測定部１０にてエラー音("ピーッ")が鳴り画面は開くことができない。
【００９４】
RBC検出部つまり除去
図９のメンテナンスウィンドウ２１０において「RBCつまり除去アイコン」２１１ｐを選択し、マウスにてダブルクリックするかもしくはキーボードにてエンターキーを押すことによりつまり除去シーケンスが実行される。RBC検出部は、検出部２６に含まれる。
RBC検出部つまり除去では、RBC検出部つまり除去シーケンスを実行してRBC検出部のつまりを除去することができる。RBC検出部つまり除去シーケンス実行中は図２６に示すRBC検出部つまり除去中ダイアログを表示する。これはRBC検出部つまり除去シーケンスが終了後、自動的に閉じる。
但し、測定部１０が"スタンバイ"の状態でなければならない。それ以外の状態では測定部１０にてエラー音("ピーッ")が鳴り、ダイアログは表示されない。
【００９５】
フローセル洗浄
図９のメンテナンスウィンドウ２１０において「フローセル洗浄アイコン」２１１ｄを選択し、マウスにてダブルクリックするかもしくはキーボードにてエンターキーを押すことによりフローセル洗浄シーケンスが実行される。フローセル洗浄では、フローセル洗浄シーケンスを実行し光学式検出部フローセルの汚れを洗浄することができる。フローセル洗浄シーケンス実行中は図２７に示すフローセル洗浄中ダイアログが表示される。これはフローセル洗浄シーケンスが終了後、自動的に閉じる。
但し、測定部１０が"スタンバイ"の状態でなければならない。それ以外の状態では測定部１０にてエラー音("ピーッ")が鳴り、ダイアログは表示されない。
以下はダイアログに表示される内容についての説明である。
Cancelボタン：
フローセル洗浄シーケンスを実行せず、フローセル洗浄シーケンス実行ダイアログを閉じる。フローセル洗浄シーケンスが実行中はdisable（使用不可）となる。
【００９６】
排液チャンバ排出
図９に示すメンテナンスウィンドウ２１０において「排液チャンバ排出アイコン」２１１aを選択し、マウスにてダブルクリックするかもしくはキーボードにてエンターキーを押すことにより排液チャンバ排出シーケンスが実行される。排液チャンバは廃液処理部３０に含まれる。排液チャンバ排出では、排液チャンバ排出シーケンスを実行し排液チャンバ内に溜まった排液を排出することができる。排液チャンバ排出シーケンス実行中は図２８に示す排液チャンバ排出中ダイアログを表示する。これは排液チャンバ排出シーケンスが終了後、自動的に閉じる。
但し、測定部１０が"スタンバイ"の状態でなければならない。それ以外の状態では測定部１０にてエラー音("ピーッ")が鳴り、ダイアログは表示されない。
【００９７】
ラック送込み
図９に示すメンテナンスウィンドウ２１０において「ラック送込みアイコン」２１１ｌを選択し、マウスにてダブルクリックするかもしくはキーボードにてエンターキーを押すことにより、サンプラにおけるラック送込みの動作テストが実行される。ラック送込み中は図２９に示すラック送込み中ダイアログが表示される。これはラック送込み動作が終了後、自動的に閉じる。
但し、測定部１０が"スタンバイ"の状態でなければならない。それ以外の状態では測定部１０にてエラー音("ピーッ")が鳴り、ダイアログは表示されない。
【００９８】
ラック横送り
ラック横送りでは、サンプラにおけるラック横送りの動作テストを行うことができる。
図９のメンテナンスウィンドウ２１０において「ラック横送りアイコン」２１１ｎを選択し、マウスにてダブルクリックするかもしくはキーボードにてエンターキーを押すことによりラック横送りの動作テストが実行される。ラック横送り中は図３０に示すラック横送り中ダイアログを表示する。これはラック横送り動作が終了後、自動的に閉じる。
但し、測定部１０が"スタンバイ"の状態でなければならない。それ以外の状態では測定部１０にてエラー音("ピーッ")が鳴り、ダイアログは表示されない。
【００９９】
ラック送出し
ラック送出しでは、サンプラにおけるラック送出しの動作テストを行うことができる。
図９のメンテナンスウィンドウ２１０において「ラック送出しアイコン」２１１ｍを選択し、マウスにてダブルクリックするかもしくはキーボードにてエンターキーを押すことによりラック送出しの動作テストが実行される。ラック送出し中は図３１に示すラック送出し中ダイアログが表示される。これはラック送出し動作が終了後、自動的に閉じる。
但し、測定部１０が"スタンバイ"の状態でなければならない。それ以外の状態では測定部１０にてエラー音("ピーッ")が鳴り、ダイアログは表示されない。
【０１００】
キャップピアサ
図９に示すメンテナンスウィンドウ２１０において「キャップピアサアイコン」２１１eを選択し、マウスにてダブルクリックするかもしくはキーボードにてエンターキーを押すことによりキャップピアサの動作テストが実行される。キャップピアサは、自動吸引部１８に含まれる。「試験管転倒位置異常」、「ハンド初期位置異常」、「ハンド上昇位置異常」、「ハンド動作位置異常」、「ハンド下降位置異常」および「試験管が保持できません」のエラーが発生した場合、キャップピアサの動作テストを行うことにより、テストの結果が正常であればエラーを解除することができる。キャップピアサユニットの動作テスト中は図３２に示すキャップピアサユニットの動作テスト中ダイアログが表示される。これはキャップピアサのテスト動作が終了後、自動的に閉じる。
但し、測定部１０が"スタンバイ"の状態でなければならない。それ以外の状態では測定部１０にてエラー音("ピーッ")が鳴り、ダイアログは表示されない。
【０１０１】
RBC シースシリンジ
図９のメンテナンスウィンドウ２１０において「RBCシースシリンジアイコン」２１１iを選択し、マウスにてダブルクリックするかもしくはキーボードにてエンターキーを押すことによりRBCシースシリンジの動作テストが実行される。RBC シースシリンジは検出部２６に含まれる。RBC シースシリンジの動作テストではRBCシースシリンジが上死点へ移動しその後下死点へ移動して停止する。また、「RBCシース用モータ異常停止」のエラーが発生した場合、RBCシースシリンジの動作テストを行うことにより、テストの結果が正常であればエラーを解除することができる。RBCシースシリンジの動作テスト中は図３３に示すRBCシースシリンジテスト中ダイアログを表示する。これはRBCシースシリンジテストが終了後、自動的に閉じます。
但し、測定部１０が"スタンバイ"の状態でなければならない。それ以外の状態では測定部１０にてエラー音("ピーッ")が鳴り、ダイアログは表示されない。
【０１０２】
FCM シースシリンジ
FCM シースシリンジでは、FCMシースシリンジの動作テストを行うことができる。FCMシースシリンジは検出部２６に含まれる。
図９のメンテナンスウィンドウ２１０において「FCM シースシリンジアイコン」２１１ｊを選択し、マウスにてダブルクリックするかもしくはキーボードにてエンターキーを押すことによりFCM シースシリンジの動作テストが実行される。FCM シースシリンジの動作テストではFCMシースシリンジが上死点へ移動しその後下死点へ移動して停止する。また、「FCMシース用モータ異常停止」のエラーが発生した場合、FCMシースシリンジの動作テストを行うことにより、テストの結果が正常であればエラーを解除することができる。FCMシースシリンジの動作テスト中は図３４に示すFCMシースシリンジ動作テスト中ダイアログを表示する。これはFCMシースシリンジテストが終了後、自動的に閉じる。
但し、測定部１０が"スタンバイ"の状態でなければならない。それ以外の状態では測定部１０にてエラー音("ピーッ")が鳴り、ダイアログは表示されない。
【０１０３】
洗浄スピッツモータ
図９に示すメンテナンスウィンドウ２１０において「洗浄スピッツアイコン」２１１ｇを選択し、マウスにてダブルクリックするかもしくはキーボードにてエンターキーを押すことにより洗浄スピッツの動作テストが実行される。洗浄スピッツは手動吸引部２０に含まれる。洗浄スピッツモータの動作テストでは洗浄スピッツモータが上死点へ移動しその後下死点へ移動して停止する。また、「洗浄スピッツ用モータ異常停止」のエラーが発生した場合、洗浄スピッツモータの動作テストを行うことにより、テストの結果が正常であればエラーを解除することができる。洗浄スピッツの動作テスト中は図３５に示す洗浄スピッツ動作テスト中ダイアログを表示する。これは洗浄スピッツテストが終了後、自動的に閉じる。
但し、測定部１０が"スタンバイ"の状態でなければならない。それ以外の状態では測定部１０にてエラー音("ピーッ")が鳴り、ダイアログは表示されない。
【０１０４】
全血吸引モータ
図９に示すメンテナンスウィンドウ２１０において「全血吸引モータアイコン」２１１ｋを選択し、マウスにてダブルクリックするかもしくはキーボードにてエンターキーを押すことにより全血吸引モータの動作テストが実行される。全自動吸引モータは定量ポンプ部２４に含まれる。「全血吸引用モータ異常停止」のエラーが発生した場合、全血吸引モータの動作テストを行うことにより、テストの結果が正常であればエラーを解除することができる。全血吸引モータの動作テスト中は図３６に示す全血吸引モータテスト中ダイアログが表示される。これは全血吸引モータテストが終了後、自動的に閉じる。
但し、測定部１０が"スタンバイ"の状態でなければならない。それ以外の状態では測定部１０にてエラー音("ピーッ")が鳴り、ダイアログは表示されない。
【０１０５】
SRV（サンプリングバルブ）
SRVでは、サンプリングバルブ２８の動作テストを行うことができる。
図９に示すメンテナンスウィンドウ２１０において「SRVアイコン」２１１ｆを選択し、マウスにてダブルクリックするかもしくはキーボードにてエンターキーを押すことによりSRVの動作テストが実行される。SRVの動作テストではSRVが初期位置へ移動し、定量動作を行った後、初期位置に戻る。SRV動作テスト中は図３７に示すSRV動作テスト中ダイアログが表示される。これはSRVテストが終了後、自動的に閉じる。
但し、測定部１０が"スタンバイ"の状態でなければならない。それ以外の状態では測定部１０にてエラー音("ピーッ")が鳴り、ダイアログは表示されない。
【０１０６】
Mixing Motor（攪拌モータ）
図９に示すメンテナンスウィンドウ２１０において「攪拌モータアイコン」２１１ｈを選択し、マウスにてダブルクリックするかもしくはキーボードにてエンターキーを押すことによりMixing Motorの動作テストが実行される。撹拌モータは検出部２６に含まれる。撹拌モータの動作テストでは撹拌モータが回転する。撹拌モータ動作テスト中は図３８に示す撹拌モータテスト中ダイアログが表示される。これは撹拌モータテストが終了後、自動的に閉じる。
但し、測定部１０が"スタンバイ"の状態でなければならない。それ以外の状態では測定部１０にてエラー音("ピーッ")が鳴り、ダイアログは表示されない。
【０１０７】
排液チャンバ洗浄
図９のメンテナンスウィンドウ２１０において「排液チャンバ洗浄アイコン」２１１ｂを選択し、マウスにてダブルクリックするかもしくはキーボードにてエンターキーを押すことにより排液チャンバ洗浄シーケンスが実行される。排液チャンバ洗浄シーケンス実行中は図３９に示す排液チャンバ排出中ダイアログを表示する。これは排液チャンバの洗浄が終了後、自動的に閉じる。
但し、測定部１０が"スタンバイ"の状態でなければならない。それ以外の状態では測定部１０にてエラー音("ピーッ")が鳴り、ダイアログは表示されない。
以下はダイアログに表示される内容についての説明である。
Cancelボタン：
排液チャンバ洗浄シーケンスを実行せず、排液チャンバ洗浄実行ダイアログを閉じる。排液チャンバ洗浄シーケンスが実行中はdisable（使用不可）となる。
【０１０８】
バーコードリーダ
図９に示すメンテナンスウィンドウ２１０において「バーコードリーダアイコン」２１１ｓを選択し、マウスにてダブルクリックするかもしくはキーボードにてエンターキーを押すことにより図４０に示すバーコードリーダダイアログが起動する。バーコードリーダダイアログでは、ラックにセットされた試験管に貼られたバーコードおよびラックに貼られたラック番号のバーコードを、バーコードリーダ１４によって読取らせるテストを行うことができる。
但し、測定部１０が"スタンバイ"の状態でなければならない。それ以外の状態では測定部１０にてエラー音("ピーッ")が鳴り、ダイアログは表示されない。
以下はダイアログに表示される内容についての説明である。
Tube Position：
ラック上の試験管位置を表示する。Rack No.はラック番号を表示する。
Rack/Sample No.：
読取ったラック番号もしくは検体番号を表示する。
Check Digit：
読取ったラック番号もしくは検体番号のバーコードのチェックデジットを表示する。
Type：
読取ったラック番号もしくは検体番号のバーコードの種類を表示する。
ここでは以下のバーコード種類が表示される。
NW7、ITF、JAN、CODE39、CODE128
Startボタン：
ラックの送込み動作を開始し、テストを開始する。開始と同時に前回テストにて表示されている内容はクリアされる。
テスト中はdisable（使用不可）の表示となり、押すことはできない。1ラック分のテストが終了すると再びenable（使用可能）の表示となる。
Close ボタン：
バーコードリーダ ダイアログを閉じる。テスト中はdisable（使用不可）の表示となり押すことはできない。
【０１０９】
Alarm Sound（アラーム音）
図９に示すメンテナンスウィンドウ２１０において「アラーム音設定アイコン」２１１ｔを選択し、マウスにてダブルクリックするかもしくはキーボードにてエンターキーを押すことにより図４１に示すAlarm Soundダイアログが起動する。Alarm Sound ダイアログでは、エラー発生時のアラーム音（エラー音）を選択することができる。アラーム音はアラームブザー３８によって発せられる。
但し、測定部１０が"スタンバイ"の状態でなければならない。それ以外の状態では測定部１０にてエラー音("ピーッ")が鳴り画面は開くことができない。
以下はダイアログに表示される内容についての説明である。
Alarm Sound 1：
装置にエラーが発生した時に鳴らすアラーム音をAlarm Sound1とするときに選択する。
Alarm Sound 2：
装置にエラーが発生した時に鳴らすアラーム音をAlarm Sound2とするときに選択する。
Alarm Sound 3：
装置にエラーが発生した時に鳴らすアラーム音をAlarm Sound3とするときに選択する。
Testボタン：
選択したアラーム音を鳴らす。
Alarm Clearボタン：
Test中のアラーム音をクリアする。
OKボタン：
選択したアラーム音を装置に反映しダイアログを閉じる。
キャンセルボタン：
選択したアラーム音を破棄し、ダイアログを閉じる。
【図面の簡単な説明】
【０１１０】
【図１】本発明の一実施例である多項目自動血球分析装置（生体試料分析装置のひとつ）の一部であるシステム制御部の構成図。
【図２】本発明の一実施例である多項目自動血球分析装置の全体構成図。
【図３】本発明の一実施例である多項目自動血球分析装置の一部である測定部の構成図。
【図４】図１の装置で用いられる検体ラック・検体容器の説明図。
【図５】システム制御部の機能を説明するためのブロック構成図。
【図６】システム制御部で実行される制御動作のフロー図。
【図７】初期画面を示す図。
【図８】メニューウィンドウを表示した状態を示す図。
【図９】メンテナンスウィンドウを表示した状態を示す図。
【図１０】アイコンの説明図。
【図１１】アイコンのデータ構造を説明する図。
【図１２】第三表示区画の表示状態を示す図。
【図１３】手動校正ダイアログを説明する図。
【図１４】自動校正ダイアログを説明する図。
【図１５】キャンセル確認ダイアログを説明する図。
【図１６】データ表示ダイアログを説明する図。
【図１７】ヘルプダイアログを説明する図。
【図１８】マニュアルモード測定画面を説明する図。
【図１９】サンプラ測定ダイアログを説明する図。
【図２０】試薬交換ダイアログを説明する図。
【図２１】試薬交換警告ダイアログを説明する図。
【図２２】自動洗浄ダイアログを説明する図。
【図２３】センサダイアログを説明する図。
【図２４】動作カウンタ表示ダイアログを説明する図。
【図２５】フローセル気泡除去中ダイアログを説明する図。
【図２６】RBC検出部つまり除去中ダイアログを説明する図。
【図２７】フローセル洗浄中ダイアログを説明する図。
【図２８】排液チャンバ排出中ダイアログを説明する図。
【図２９】ラック送り込み中ダイアログを説明する図。
【図３０】ラック横送り中ダイアログを説明する図。
【図３１】ラック送出し中ダイアログを説明する図。
【図３２】キャップピアサ動作テスト中ダイアログを説明する図。
【図３３】RBCシースシリンジテスト中ダイアログを説明する図。
【図３４】FCMシースシリンジテスト中ダイアログを説明する図。
【図３５】洗浄スピッツ動作中ダイアログを説明する図。
【図３６】全血吸引モータテスト中ダイアログを説明する図。
【図３７】SRV動作テスト中ダイアログを説明する図。
【図３８】Mixing Motor(撹拌モータ)テスト中ダイアログを説明する図。
【図３９】排液チャンバ洗浄ダイアログを説明する図。
【図４０】バーコードリーダダイアログを説明する図。
【図４１】Alarm Sound(アラーム音）ダイアログを説明する図。
【符号の説明】
【０１１１】
１：多項目自動血球分析装置
２：検体ラック
３：検体容器
４：バーコード
１０：測定部
１２：サンプラ
１４：バーコードリーダ
１６：検体取り出し部
１８：自動吸引部
２０：手動吸引部
２２：試薬収納部
２４：定量ポンプ部
２６：検出部
２８：サンプリングバルブ部
３０：排液処理部
３２：空圧源
１２S〜３２S：センサ
３４：測定部制御装置
３６：インターフェース
４０：通信回線
５０：システム制御部
５２：制御本体部
５４：表示部
６２：メインボード
６４：CD-ROM
６６：フロッピーディスクドライブ
６８：ハードディスクドライブ
７０：キーボード
７２：マウス
７４：インターフェース
１０２：測定部各部
１０４：測定部制御装置
１０６：センサ
２０２：第一表示区画
２０３：基本操作アイコン
２０４：第二表示区画
２０５：機能選択アイコン
２０５ｈ：メンテナンスアイコン
２０６：第三表示区画
２０８：メニューウィンドウ
２１０：メンテナンスウィンドウ
２１１：細分機能選択アイコン
３０２：画像部
３０４：文字部
３１０：測定部名称表示エリア
３１２：検体番号表示エリア
３１４：トラブル表示エリア
５０２：入力部
５０４：表示画面
５０６：第一表示区画表示部
５０８：第二表示区画表示部
５１０：第三表示区画表示部
５１２：基本操作アイコン表示部
５１４：機能選択ウィンドウ表示部
５１６：細分機能選択ウィンドウ表示部
５２０：エラーウィンドウ表示部
５２２：ガイド表示部
５３０：アイコン記憶部
５４０：アイコン結合部
５５０：コマンド抽出部
５５２：コマンド実行判断部
５５４：警告部
５５６：機能制御部
５５８：装置状態情報処理部
５６０：ガイド情報記憶部
【図１】
2006071649.tif 000003
【図２】
2006071649.tif 000004
【図３】
2006071649.tif 000005
【図４】
2006071649.tif 000006
【図５】
2006071649.tif 000007
【図６】
2006071649.tif 000008
【図７】
2006071649.tif 000009
【図８】
2006071649.tif 000010
【図９】
2006071649.tif 000011
【図１０】
2006071649.tif 000012
【図１１】
2006071649.tif 000013
【図１２】
2006071649.tif 000014
【図１３】
2006071649.tif 000015
【図１４】
2006071649.tif 000016
【図１５】
2006071649.tif 000017
【図１６】
2006071649.tif 000018
【図１７】
2006071649.tif 000019
【図１８】
2006071649.tif 000020
【図１９】
2006071649.tif 000021
【図２０】
2006071649.tif 000022
【図２１】
2006071649.tif 000023
【図２２】
2006071649.tif 000024
【図２３】
2006071649.tif 000025
【図２４】
2006071649.tif 000026
【図２５】
2006071649.tif 000027
【図２６】
2006071649.tif 000028
【図２７】
2006071649.tif 000029
【図２８】
2006071649.tif 000030
【図２９】
2006071649.tif 000031
【図３０】
2006071649.tif 000032
【図３１】
2006071649.tif 000033
【図３２】
2006071649.tif 000034
【図３３】
2006071649.tif 000035
【図３４】
2006071649.tif 000036
【図３５】
2006071649.tif 000037
【図３６】
2006071649.tif 000038
【図３７】
2006071649.tif 000039
【図３８】
2006071649.tif 000040
【図３９】
2006071649.tif 000041
【図４０】
2006071649.tif 000042
【図４１】
2006071649.tif 000043